(57)【要約】      （修正有）【課題】現状の小規模農家でも導入しやすく、防草、水分・施肥・病害虫管理、保温、根の抑制に機能し植物栽培における労力削減と作業の熟練を不要とする植物の育成管理カバーを提供する。【解決手段】不透明の合成樹脂製でてきた外周壁部２と内周壁部３及び両周壁部に架かる天板部４により構成されるカバーで、天板部が内周壁部に向かって低くなるよう傾斜していること、内周壁部端が外周壁部端よりも内部にあること、そして天板部と内周壁部とがなす隅部が曲面を形成させた植物の育成管理カバーとした。【選択図】図１
0003175313.tif 000002
【実用新案登録請求の範囲】
【請求項１】
外周壁部と内周壁部及び両周壁部に架かる天板部により構成される覆いであって、天板部が内周壁部に向かって低くなるよう傾斜していること、内周壁部端が外周壁部端よりも内部にあること、そして天板部と内周壁部とがなす隅部が曲面を形成していることを特徴とする植物の育成管理カバー。
【請求項２】
請求項１に記載の植物の育成管理カバーであって外周壁部が天板部に向かって内周方向に傾斜していることを特徴とする植物の育成管理カバー。
【請求項３】
請求項１または請求項２に記載の植物の育成管理カバーであって、内周壁部が天板部に向かって外周方向に傾斜していることを特徴とする植物の育成管理カバー。
【請求項４】
請求項１ないし請求項３のいずれかに記載の植物の育成管理カバーであって、各隅部が曲面を形成していることを特徴とする植物の育成管理カバー。
【請求項５】
請求項１ないし請求項４のいずれかに記載の植物の育成管理カバーであって、天板部の傾斜角が８度ないし１２度であることを特徴とする植物の育成管理カバー。
【請求項６】
請求項２ないし請求項５のいずれかに記載の植物の育成管理カバーであって、各壁部の傾斜角が４度ないし６度であることを特徴とする植物の育成管理カバー。
【請求項７】
請求項１ないし請求項６のいずれかに記載の植物の育成管理カバーであって、素材が不透明な合成樹脂性であることを特徴とする植物の育成管理カバー。
【考案の詳細な説明】
【技術分野】
【０００１】      本発明は、植物を効率良く発芽させ、育成することのできる育成管理カバーに関するものである。
【背景技術】
【０００２】      現在の農業は、就労者の高齢化、後継者難、低収益性に加え、農産物輸入の関税廃止など危機的な状況にある。その中において、昨今将来の農業を見据えて農業経営を視点とした産業化構想が提唱されている。このために各農家が栽培する農産物の付加価値を高めるとともに重要なのが設備や器具を活用した収益性向上と作業性改善、その結果に基づく農業事業としての魅力作りである。これまで大規模な事業者においては土壌作り〜播種〜収穫に至るまで機械化など装置産業化が進んでいるが、中小規模の農業家においてはまだ手作業に頼っていることが多いのが実情である。その中で取分け幼苗期は潅水や除草、病気など管理に手間と人力を要し、コスト上のウエイトが大きい。そのために、特許文献１ないし３に示すように種々のカバーによる雑草の生育防止や保水性向上、病害虫の進入阻止、保温技術（以下、マルチ効果という。）が提案されている。しかし、これらの技術は、単にマルチシートとしての機能を満足するように考えられたものであり、それ以上の効果を期待できない（特許文献１）、構造が複雑で洗浄しにくく再利用が困難（特許文献２）、保水材料の施工など追加の作業が必要（特許文献３）など実用化には改善の余地がある。
【先行技術文献】
【特許文献】
【０００３】
【特許文献１】  特開２００４−７３１６９  公報
【特許文献２】  特表２０１０−５２３０８９  公報
【特許文献３】  実用新案登録第３１７０６８２号  公報
【考案の概要】
【考案が解決しようとする課題】
【０００４】      本考案は、主として幼苗期から中苗期にかけて従来技術におけるマルチ効果に加えて、効果的及び効率的に潅水と施肥そして根の抑制を行うことができるものとするにある。これにより防草、水分・施肥・病害虫管理、保温、根の抑制に機能し植物栽培における労力削減と作業の熟練を不要とし農業経営におけるコスト削減に資する植物の育成管理カバー（以後、育成管理カバーという。）を提供することにある。
【課題を解決するための手段】
【０００５】      本考案は、外周壁部と内周壁部及び両周壁部に架かる天板部により構成される一体的な覆いであって、天板部が内周壁部に向かって低くなるよう傾斜していること、内周壁部端が外周壁部端よりも内部にあること、そして天板部と内周壁部とがなす隅部が曲面を形成していることを特徴とする育成管理カバーである。このように天板部が内周壁部に向けて傾斜構造をなしていることにより、潅水された水分や液肥などは略中央の穴に向かって注ぎ込むように流れる。土壌などの植生媒体に凸部を伏せるように設置された当該育成管理カバーの略中央の穴部には播種され、発芽生育する苗の根の周囲近傍に水分や肥料分が効果的に施されることになる。そして、内周壁部端が外周壁部端より内部に位置するようにすることによって供給された水分や肥料分が植生媒体に拡散させやすいように、保持された熱が必要以上にこもらないようにしている。また、内周壁部と天板の取り合い付近は曲面とし潅水した水分や肥料分がスムーズに栽培している根元に達するようにしている。以上により、植物の種子や苗の根部に優しく水分や肥料分を供給できるようになる。また外周壁部があることにより害虫の侵入が少なくなり、天板がマルチング材として上部からの雑草の種子の混入を防ぎ、根部を仕切るように覆うことにより根の無為な伸張の抑制や蓄熱した熱の外界への逸散を低減することができる。【０００６】      さらに外周壁部が天板部に向かって内周方向に傾斜し、また内周壁部が天板部に向かって外周方向に傾斜しており、さらにその傾斜角が４度ないし６度の範囲にある場合には栽培媒体への挿入とカバー内の媒体が無理に圧縮されずバランス良く極めて好適である。そして、設置後の栽培媒体の空気の流通も植物栽培に適度となる。また、当該カバーの各隅部をも曲面とすることにより再利用のための洗浄作業をやり易くする効果が得られる。なお、外周壁部は、栽培している植物の外界よりの雑草や病気を伝播する昆虫類の侵入を防ぐ効果がありこれは一般のマルチングシートにはないものである。【０００７】      天板部の傾斜角は８度ないし１２度であると好適である。このような角度では固形肥料や粒状肥料を天板上の要所に置くことにより潅水による緩やかな流れにより肥効成分を徐々に流出させ施肥することが可能となる。【０００８】      材質としては、不透明な合成樹脂性であることが望ましく色や着色度合いを変えることにより光エネルギーの吸収度合いを変え保温性などを調節することや、根の周囲が包囲されていることとあいまってマルチ材と同等以上に地温の上昇と保温性能が得られることになる。
【考案の効果】
【０００９】      このように、本考案の育成管理カバーを用いることにより、播種、発芽時、幼苗から中苗時の潅水等による種子や苗の移動がほとんど無い状態で、種子または根の周囲に効率的かつ効果的に潅水や施肥ができ、作業終了後は取り外し洗浄後再利用またはリサイクルに供するなどコスト的にもまた環境にも優しい用具である。特に施肥時は根の必要な部分に対し養分を拡散するように浸透させることが可能となる。そして、当該カバーを栽培媒体に差し込むように設置し、その中央近傍に播種し、あとは潅水と施肥、そして環境条件を整えてやるだけで済むので、熟練した農業技術者でなくとも作業を容易に行なうことができる。そして、除草作業がほぼ省けるため発芽後の根痛みも激減することができ苗としての生産効率を８０％以上と飛躍的に高めることが期待できる。製造側からは、一般の合成樹脂やそれら再生品などを使用でき構造が単純なため、製作コストを低く抑えることができ、使用者である小規模農家でも導入しやすいものとなっている。【００１０】
【図面の簡単な説明】
【００１１】
【図１】本考案の育成管理カバーの斜視図である。
【図２】本考案の育成管理カバーの正面図及び断面図である。
【図３】本考案の育成管理カバーを栽培媒体に設置し生育過程を模した状態図である。
【考案を実施するための形態】
【００１２】      以下に、本考案の実施の具体的態様を図面に基づいて説明する。なお、本発明はこの実施例に限定されるものではない。図１は、正四角形状の育成管理カバーを示したものである。外形は、正四角形に限らず組み合わせて使用する育成ポッドやプランターなど鉢類に合わせた形状でも良いが、ハウス培地や露地栽培などに使用するときは位置決め等から四角形が好ましい。この中央に播種及び苗や植物が生育できるように穴を設け、この穴を形成する内周壁部３がありこの端部の位置は、外周壁部２の端部より３ミリメートルないし７ミリメートル内側にあるようにしている。
【００１３】      育成管理カバーを形成する天板４は、図２に示すように外周壁部２より内周壁部３に向かって負の勾配を有しかつ天板部４と内周壁部３との成す部分が曲面で形成されており、特にこの勾配が均等に８度ないし１２度である場合には曲面形状の効果も加わり潅水時の水流が穏やかとなり植物の根部の侵食を極力少なくすることができる。また、天板周囲に置き肥をした場合、水流が穏やかなため徐々に成分が溶け出し、肥効を持続させることが可能となり肥料の節約にもつながる。
【００１４】      また、図２のように外周壁部２及び内周壁部３は天板方向に傾斜していることが栽培媒体に差し込む際差込の程度をコントロールし易いことと弾力性のある合成樹脂素材などの場合はその復元力で媒体との間に微妙な隙間をつくり空気などの流通を良くする効果が得られる。特にその傾斜が４度ないし６度の範囲であるのが好ましい。この外周壁部が障壁となることにより匍匐茎持つ雑草や病気を伝播したり植物に食害を与えるだんご虫、根切り虫などの進入を防止でき幼苗時の保護効果は絶大である。
【００１５】      当該育成管理カバーの全ての隅部は、曲面で形成されている。これは、イタチやネズミ等の小動物がカバーを引き剥がし植物に害を与えることを防ぐとともに、再利用時に洗浄、滅菌等の作業がしやすくなり効率的とするためである。これら曲部のアールは５から１５Ｒであることが好ましい。
【００１６】      当該育成管理カバーの素材は、不透明の合成樹脂が好適である。金属や圧縮紙、生分解性樹脂なども利用できるが製造コストや再利用の点で一歩劣る。透明な素材では、マルチング効果が小さく、また光を授受できるため雑草の生長を助長する可能性があり好ましくはない。
【００１７】      当該育成管理カバーは、ポッドや鉢、またはプランターなどの栽培容器に栽培媒体を入れ、その媒体上に直接差し込む、あるいは被せて使用することが可能である。このように使用することにより効率的かつ効果的な潅水と施肥に加え、雑草等の発生がないためそれらに肥料分を取られることなく肥効が増大することにつながる。
【実施例１】
【００１８】      以下に、アスターを当該育成管理カバーを用いビニールハウス内で秋から冬にかけて大分県内で鉢栽培させた例を示した。図３のように栽培培体の上にほぼ平に黒色不透明のポリプロピレン製のカバーを置きやや力を加えて差し込むように設置し、その穴のほぼ中央に種子を蒔き発芽させた。このときの発芽までの水や環境管理は通常の方法と同等に行った。発芽、本葉が揃うまで１週間育成したが、雑草はごくわずかで幼苗の育成率は２０００本単位の３床とも８０％以上であった。その後約９０日経過後、中苗まで育成したが育成管理カバーの外気と触れる穴内部すなわち植物の根元周辺には適度な流水効果とあいまって雑草の伸長は見られず、除草作業やそれによる根痛み、病虫害による植物の損傷はほとんどなかつた。なお、潅水は塩化ビニール管の要所に細かな穴を開けたもので適宜散水した。【００１９】      発芽後、約４ヵ月そのまま育成管理を続け、花部を出荷後、育成管理カバーごとアスターの根部を抜き去り、カバーを引き抜きそれを洗浄、殺菌、風乾後再利用のために保管しておき、再利用の際は問題なく使用できた。このように、アスターの栽培においてこの保護管理カバーを用いることにより初春から夏に向かう時期でも霜が当たらないため加温設備なしで花類を栽培、出荷できた。
【実施例２】
【００２０】      以下に、露地栽培で実施例１と同様に設置し、播種し栽培した例を示した。強い雨等があったにもかかわらず通常の露地栽培と同等の生育を示し、幼苗の育成率は６５％以上と通常の露地栽培より良かった。また、発芽不良や環境条件により消失した位置には再度播種することにより補足が容易であつた。なお、雑草の発生はややハウス栽培よりは多いもののそれほどの作業負荷となるものではなかった。また、ハウス栽培のものより花部の収穫できるまで期間は長いものの、通常の露地栽培よりは１から２週間早くマルチ効果により幼苗時の地温上昇の効果があると思われた。そして、病虫害はほとんど見られず、作付けの目印としても当該カバーが利用でき、数量管理にも役立っていた。
【符号の説明】
【００２１】１  育成管理用具
２  外周壁部
３  内周壁部
４  天板部
５  隅部
６  植物の生育用貫通孔
７  水等の流線
８  栽培媒体
９  栽培植物
【図１】
0003175313.tif 000003
【図２】
0003175313.tif 000004
【図３】
0003175313.tif 000005